(57)【要約】【課題】コストダウンを図る上で有利なレンズの配置構造およびカメラモジュール並びに電子機器を提供する。【解決手段】第１レンズ２０と第２レンズ２２は、第１係合面２２０４と第３係合面２００４を係合させるとともに、第１内周面２００６と外周面２２０２とを係合させて配置されている。第１レンズ２０と第２レンズ２２との位置決めがなされた状態で、第２レンズ２２と第３レンズ２４は、第２係合面２２０６と第４係合面２４０４を係合させるとともに、第２内周面２４０６と外周面２２０２とを係合させて配置されている。第１、第２、第３レンズ２０、２２、２４は、レンズ部２０Ａ、２２Ａ、２４Ａの光軸が合致され、また、レンズ部２０Ａ、２２Ａ、２４Ａの光軸方向の位置決めがなされる。【選択図】図４
2008203696.tif 000002
【特許請求の範囲】
【請求項１】
第１、第２、第３レンズがこれらの順に並べて配置され、
各レンズは中央に位置するレンズ部と、前記レンズ部の半径方向外側に位置する取り付け部とを有し、
前記第２レンズの取り付け部は、前記第２レンズの光軸を中心とした外周面を有し、
前記第２レンズの取り付け部で前記第１レンズに臨む箇所に、前記第２レンズの光軸に対して直交する平面上を延在する第１係合面が形成され、
前記第２レンズの取り付け部で前記第３レンズに臨む箇所に、前記第２レンズの光軸に対して直交する平面上を延在する第２係合面が形成され、
前記第１レンズの取り付け部で前記第２レンズに臨む箇所に、前記第１係合面に係合可能な第３係合面と、前記外周面に係合可能で前記第１レンズの光軸を中心とした第１内周面が形成され、
前記第３レンズの取り付け部で前記第２レンズに臨む箇所に、前記第２係合面に係合可能な第４係合面と、前記外周面に係合可能で前記第３レンズの光軸を中心とした第２内周面が形成され、
前記第１レンズと前記第２レンズは、前記第１係合面と前記第３係合面を係合させるとともに、前記第１内周面と前記外周面とを係合させて配置され、
前記第２レンズと前記第３レンズは、前記第２係合面と前記第４係合面を係合させるとともに、前記第２内周面と前記外周面とを係合させて配置されている、
ことを特徴とするレンズの配置構造。
【請求項２】
前記第１レンズの取り付け部で前記第３係合面の外周部から前記第２レンズ側に向けて突出する環状の第１凸部が設けられ、
前記第１内周面は前記第１凸部の内周部に形成され、
前記第３レンズの取り付け部で前記第４係合面の外周部から前記第２レンズ側に向けて突出する環状の第２凸部が設けられ、
前記第２内周面は前記第２凸部の内周部に形成され、
前記第１係合面と前記第３係合面とが係合し、前記第１内周面と前記外周面とが係合し、前記第２係合面と前記第４係合面とが係合し、前記第２内周面と前記外周面とが係合した状態で、前記第１凸部の先端と前記第２凸部の先端との間に前記レンズの光軸方向に平行する方向に沿った隙間が確保されている、
ことを特徴とする請求項１記載のレンズの配置構造。
【請求項３】
前記第１係合面および前記第２係合面は、前記第２レンズの光軸を中心として環状に延在し、
前記第３係合面は、前記第１レンズの光軸に対して直交する平面上で前記光軸を中心として環状に延在し、
前記第４係合面は、前記第３レンズの光軸に対して直交する平面上で前記光軸を中心として環状に延在している、
ことを特徴とする請求項１記載のレンズの配置構造。
【請求項４】
第１、第２、第３レンズがこれらの順に並べて配置され、
各レンズは中央に位置するレンズ部と、前記レンズ部の半径方向外側に位置する取り付け部とを有し、
前記第１レンズの取り付け部の外周部に前記第２レンズ側に向けて突出する環状の第１凸部が設けられ、
前記第１凸部の外周部に前記第１レンズの光軸を中心とした第１外周面が形成され、
前記第１凸部の内周部に前記第１レンズの光軸を中心とした第１内周面が形成され、
前記第１凸部の半径方向内側の前記第１レンズの取り付け部の箇所で前記第２レンズに臨む箇所に、前記第１レンズの光軸に対して直交する平面上を延在する第１係合面が形成され、
前記第２レンズの取り付け部の外周部に、前記第１内周面に係合可能で前記第２レンズの光軸を中心とした第２外周面が形成され、
前記第２レンズの取り付け部で前記第１レンズに臨む箇所に、前記第１係合面に係合可能な第２係合面が形成され、
前記第２レンズの取り付け部で前記第３レンズに臨む箇所に、前記第２レンズの光軸に対して直交する平面上を延在する第３係合面が形成され、
前記第３レンズの取り付け部の外周部に前記第２レンズ側に向けて突出する環状の第２凸部が設けられ、
前記第２凸部の内周部に、前記第１外周面に係合可能で前記第３レンズの光軸を中心とした第２内周面が形成され、
前記第２凸部の半径方向内側の前記第３レンズの取り付け部の箇所で前記第２レンズに臨む箇所に、前記第３係合面に係合可能な第４係合面が形成され、
前記第１レンズと前記第２レンズは、前記第１係合面と前記第２係合面を係合させるとともに、前記第１内周面と前記２外周面とを係合させて配置され、
前記第３レンズは前記第１、第２レンズに対して、前記第３係合面と前記第４係合面を係合させるとともに、前記第1外周面と前記第２内周面とを係合させて配置されている、
ことを特徴とするレンズの配置構造。
【請求項５】
前記第１係合面と前記第２係合面とが係合し、前記第１内周面と前記２外周面とが係合し、前記第３係合面と前記第４係合面とが係合し、前記第1外周面と前記第２内周面とが係合した状態で、
前記第１凸部の先端と、この第１凸部に臨む前記第３レンズの取り付け部の箇所との間に、前記レンズの光軸方向に平行する方向に沿った隙間が確保されている、
ことを特徴とする請求項４記載のレンズの配置構造。
【請求項６】
前記第１係合面は、前記第１レンズの光軸を中心として環状に延在し、
前記第２係合面は、前記第２レンズの光軸に対して直交する平面上で前記光軸を中心として環状に延在し、
前記第３係合面は、前記第２レンズの光軸を中心として環状に延在し、
前記第４係合面は、前記第３レンズの光軸に対して直交する平面上で前記光軸を中心として環状に延在している、
ことを特徴とする請求項４記載のレンズの配置構造。
【請求項７】
第１、第２、第３レンズがこれらの順に並べて配置され、
各レンズは中央に位置するレンズ部と、前記レンズ部の半径方向外側に位置する取り付け部とを有し、
前記第１レンズの前記取り付け部の外周部に前記第１レンズの光軸を中心とした第１外周面が形成され、
前記第１レンズの前記取り付け部が前記第２レンズに臨む箇所に、前記第１レンズの光軸に対して直交する平面上を延在する第１係合面が形成され、
前記第２レンズの前記取り付け部が前記第１レンズに臨む箇所に、前記第１係合面に係合可能な第２係合面が形成され、
前記第２レンズの前記取り付け部の外周部で前記第１レンズ寄りの箇所に、前記第２の光軸を中心とした第２外周面が前記第１外周面よりも小さい寸法の半径で形成され、
前記第２レンズの前記取り付け部の外周部で前記第３レンズ寄りの箇所に、前記第２レンズの光軸を中心とし前記第２レンズから離れるにつれて次第に半径が小さくなる環状のテーパ面からなる第３係合面が形成され、
前記第３レンズの取り付け部の外周部に前記第１レンズ及び前記第２レンズ側に向けて突出する環状の凸部が設けられ、
前記凸部の先部寄りの内周部の箇所に、前記第１外周面に係合可能で前記第３レンズの光軸を中心とした内周面が形成され、
前記凸部の基部寄りの内周部の箇所に、前記第３レンズの光軸を中心として環状に延在し前記第３係合面に係合可能な第４係合面が形成され、
前記第１、第２、第３レンズは、前記第１係合面と前記第２係合面を係合させ、前記第３係合面と前記第４係合面を係合させ、前記第１外周面と前記内周面とを係合させて配置されている、
ことを特徴とするレンズの配置構造。
【請求項８】
前記第１係合面と前記第２係合面とが係合し、前記第３係合面と前記第４係合面とが係合し、前記第１外周面と前記内周面とが係合した状態で、
前記第３係合面の半径方向の内側に位置し前記第２レンズの前記取り付け部が前記第３レンズに臨む箇所と、前記第４係合面の半径方向の内側に位置し前記第３レンズの前記取り付け部が前記第２レンズに臨む箇所との間に、前記レンズの光軸方向に平行する方向に沿った隙間が確保されている、
ことを特徴とする請求項７記載のレンズの配置構造。
【請求項９】
前記第１係合面は、前記第１レンズの光軸を中心として環状に延在し、
前記第２係合面は、前記第２レンズの光軸に対して直交する平面上で前記光軸を中心として環状に延在し、
前記第４係合面は、前記第３レンズの光軸を中心とし前記第３レンズから離れるにつれて次第に半径が大きくなる環状のテーパ面で形成されている、
ことを特徴とする請求項７記載のレンズの配置構造。
【請求項１０】
撮像素子と、
被写体像を前記撮像素子に導く撮影光学系とを備え、
前記撮影光学系は第１、第２、第３のレンズを含んで構成され、
前記第１、第２、第３のレンズはそれらの順に並べられ、
各レンズは中央に位置するレンズ部と、前記レンズ部の半径方向外側に位置する取り付け部とを有し、
前記第２レンズの取り付け部は、前記第２レンズの光軸を中心とした外周面を有し、
前記第２レンズの取り付け部で前記第１レンズに臨む箇所に、前記第２レンズの光軸に対して直交する平面上を延在する第１係合面が形成され、
前記第２レンズの取り付け部で前記第３レンズに臨む箇所に、前記第２レンズの光軸に対して直交する平面上を延在する第２係合面が形成され、
前記第１レンズの取り付け部で前記第２レンズに臨む箇所に、前記第１係合面に係合可能な第３係合面と、前記外周面に係合可能で前記第１レンズの光軸を中心とした第１内周面が形成され、
前記第３レンズの取り付け部で前記第２レンズに臨む箇所に、前記第２係合面に係合可能な第４係合面と、前記外周面に係合可能で前記第３レンズの光軸を中心とした第２内周面が形成され、
前記第１レンズと前記第２レンズは、前記第１係合面と前記第３係合面を係合させるとともに、前記第１内周面と前記外周面とを係合させて配置され、
前記第２レンズと前記第３レンズは、前記第２係合面と前記第４係合面を係合させるとともに、前記第２内周面と前記外周面とを係合させて配置されている、
ことを特徴とするカメラモジュール。
【請求項１１】
カメラモジュールが組み込まれた電子機器であって、
前記カメラモジュールは、
撮像素子と、
被写体像を前記撮像素子に導く撮影光学系とを備え、
前記撮影光学系は第１、第２、第３のレンズを含んで構成され、
前記第１、第２、第３のレンズはそれらの順に並べられ、
各レンズは中央に位置するレンズ部と、前記レンズ部の半径方向外側に位置する取り付け部とを有し、
前記第２レンズの取り付け部は、前記第２レンズの光軸を中心とした外周面を有し、
前記第２レンズの取り付け部で前記第１レンズに臨む箇所に、前記第２レンズの光軸に対して直交する平面上を延在する第１係合面が形成され、
前記第２レンズの取り付け部で前記第３レンズに臨む箇所に、前記第２レンズの光軸に対して直交する平面上を延在する第２係合面が形成され、
前記第１レンズの取り付け部で前記第２レンズに臨む箇所に、前記第１係合面に係合可能な第３係合面と、前記外周面に係合可能で前記第１レンズの光軸を中心とした第１内周面が形成され、
前記第３レンズの取り付け部で前記第２レンズに臨む箇所に、前記第２係合面に係合可能な第４係合面と、前記外周面に係合可能で前記第３レンズの光軸を中心とした第２内周面が形成され、
前記第１レンズと前記第２レンズは、前記第１係合面と前記第３係合面を係合させるとともに、前記第１内周面と前記外周面とを係合させて配置され、
前記第２レンズと前記第３レンズは、前記第２係合面と前記第４係合面を係合させるとともに、前記第２内周面と前記外周面とを係合させて配置されている、
ことを特徴とする電子機器。
【請求項１２】
前記電子機器は携帯電話機である、
ことを特徴とする請求項１１記載の電子機器。
【請求項１３】
撮像素子と、
被写体像を前記撮像素子に導く撮影光学系とを備え、
前記撮影光学系は第１、第２、第３のレンズを含んで構成され、
前記第１、第２、第３のレンズはそれらの順に並べられ、
各レンズは中央に位置するレンズ部と、前記レンズ部の半径方向外側に位置する取り付け部とを有し、
前記第１レンズの取り付け部の外周部に前記第２レンズ側に向けて突出する環状の第１凸部が設けられ、
前記第１凸部の外周部に前記第１レンズの光軸を中心とした第１外周面が形成され、
前記第１凸部の内周部に前記第１レンズの光軸を中心とした第１内周面が形成され、
前記第１凸部の半径方向内側の前記第１レンズの取り付け部の箇所で前記第２レンズに臨む箇所に、前記第１レンズの光軸に対して直交する平面上を延在する第１係合面が形成され、
前記第２レンズの取り付け部の外周部に、前記第１内周面に係合可能で前記第２レンズの光軸を中心とした第２外周面が形成され、
前記第２レンズの取り付け部で前記第１レンズに臨む箇所に、前記第１係合面に係合可能な第２係合面が形成され、
前記第２レンズの取り付け部で前記第３レンズに臨む箇所に、前記第２レンズの光軸に対して直交する平面上を延在する第３係合面が形成され、
前記第３レンズの取り付け部の外周部に前記第２レンズ側に向けて突出する環状の第２凸部が設けられ、
前記第２凸部の内周部に、前記第１外周面に係合可能で前記第３レンズの光軸を中心とした第２内周面が形成され、
前記第２凸部の半径方向内側の前記第３レンズの取り付け部の箇所で前記第２レンズに臨む箇所に、前記第３係合面に係合可能な第４係合面が形成され、
前記第１レンズと前記第２レンズは、前記第１係合面と前記第２係合面を係合させるとともに、前記第１内周面と前記２外周面とを係合させて配置され、
前記第３レンズは前記第１、第２レンズに対して、前記第３係合面と前記第４係合面を係合させるとともに、前記第1外周面と前記第２内周面とを係合させて配置されている、
ことを特徴とするカメラモジュール。
【請求項１４】
カメラモジュールが組み込まれた電子機器であって、
前記カメラモジュールは、
撮像素子と、
被写体像を前記撮像素子に導く撮影光学系とを備え、
前記撮影光学系は第１、第２、第３のレンズを含んで構成され、
前記第１、第２、第３のレンズはそれらの順に並べられ、
各レンズは中央に位置するレンズ部と、前記レンズ部の半径方向外側に位置する取り付け部とを有し、
前記第１レンズの取り付け部の外周部に前記第２レンズ側に向けて突出する環状の第１凸部が設けられ、
前記第１凸部の外周部に前記第１レンズの光軸を中心とした第１外周面が形成され、
前記第１凸部の内周部に前記第１レンズの光軸を中心とした第１内周面が形成され、
前記第１凸部の半径方向内側の前記第１レンズの取り付け部の箇所で前記第２レンズに臨む箇所に、前記第１レンズの光軸に対して直交する平面上を延在する第１係合面が形成され、
前記第２レンズの取り付け部の外周部に、前記第１内周面に係合可能で前記第２レンズの光軸を中心とした第２外周面が形成され、
前記第２レンズの取り付け部で前記第１レンズに臨む箇所に、前記第１係合面に係合可能な第２係合面が形成され、
前記第２レンズの取り付け部で前記第３レンズに臨む箇所に、前記第２レンズの光軸に対して直交する平面上を延在する第３係合面が形成され、
前記第３レンズの取り付け部の外周部に前記第２レンズ側に向けて突出する環状の第２凸部が設けられ、
前記第２凸部の内周部に、前記第１外周面に係合可能で前記第３レンズの光軸を中心とした第２内周面が形成され、
前記第２凸部の半径方向内側の前記第３レンズの取り付け部の箇所で前記第２レンズに臨む箇所に、前記第３係合面に係合可能な第４係合面が形成され、
前記第１レンズと前記第２レンズは、前記第１係合面と前記第２係合面を係合させるとともに、前記第１内周面と前記２外周面とを係合させて配置され、
前記第３レンズは前記第１、第２レンズに対して、前記第３係合面と前記第４係合面を係合させるとともに、前記第1外周面と前記第２内周面とを係合させて配置されている、
ことを特徴とする電子機器。
【請求項１５】
前記電子機器は携帯電話機である、
ことを特徴とする請求項１４記載の電子機器。
【請求項１６】
撮像素子と、
被写体像を前記撮像素子に導く撮影光学系とを備え、
前記撮影光学系は第１、第２、第３のレンズを含んで構成され、
前記第１、第２、第３のレンズはそれらの順に並べられ、
各レンズは中央に位置するレンズ部と、前記レンズ部の半径方向外側に位置する取り付け部とを有し、
前記第１レンズの前記取り付け部の外周部に前記第１レンズの光軸を中心とした第１外周面が形成され、
前記第１レンズの前記取り付け部が前記第２レンズに臨む箇所に、前記第１レンズの光軸に対して直交する平面上を延在する第１係合面が形成され、
前記第２レンズの前記取り付け部が前記第１レンズに臨む箇所に、前記第１係合面に係合可能な第２係合面が形成され、
前記第２レンズの前記取り付け部の外周部で前記第１レンズ寄りの箇所に、前記第２の光軸を中心とした第２外周面が前記第１外周面よりも小さい寸法の半径で形成され、
前記第２レンズの前記取り付け部の外周部で前記第３レンズ寄りの箇所に、前記第２レンズの光軸を中心とし前記第２レンズから離れるにつれて次第に半径が小さくなる環状のテーパ面からなる第３係合面が形成され、
前記第３レンズの取り付け部の外周部に前記第１レンズ及び前記第２レンズ側に向けて突出する環状の凸部が設けられ、
前記凸部の先部寄りの内周部の箇所に、前記第１外周面に係合可能で前記第３レンズの光軸を中心とした内周面が形成され、
前記凸部の基部寄りの内周部の箇所に、前記第３レンズの光軸を中心として環状に延在し前記第３係合面に係合可能な第４係合面が形成され、
前記第１、第２、第３レンズは、前記第１係合面と前記第２係合面を係合させ、前記第３係合面と前記第４係合面を係合させ、前記第１外周面と前記内周面とを係合させて配置されている、
ことを特徴とするカメラモジュール。
【請求項１７】
カメラモジュールが組み込まれた電子機器であって、
前記カメラモジュールは、
撮像素子と、
被写体像を前記撮像素子に導く撮影光学系とを備え、
前記撮影光学系は第１、第２、第３のレンズを含んで構成され、
前記第１、第２、第３のレンズはそれらの順に並べられ、
各レンズは中央に位置するレンズ部と、前記レンズ部の半径方向外側に位置する取り付け部とを有し、
前記第１レンズの前記取り付け部の外周部に前記第１レンズの光軸を中心とした第１外周面が形成され、
前記第１レンズの前記取り付け部が前記第２レンズに臨む箇所に、前記第１レンズの光軸に対して直交する平面上を延在する第１係合面が形成され、
前記第２レンズの前記取り付け部が前記第１レンズに臨む箇所に、前記第１係合面に係合可能な第２係合面が形成され、
前記第２レンズの前記取り付け部の外周部で前記第１レンズ寄りの箇所に、前記第２の光軸を中心とした第２外周面が前記第１外周面よりも小さい寸法の半径で形成され、
前記第２レンズの前記取り付け部の外周部で前記第３レンズ寄りの箇所に、前記第２レンズの光軸を中心とし前記第２レンズから離れるにつれて次第に半径が小さくなる環状のテーパ面からなる第３係合面が形成され、
前記第３レンズの取り付け部の外周部に前記第１レンズ及び前記第２レンズ側に向けて突出する環状の凸部が設けられ、
前記凸部の先部寄りの内周部の箇所に、前記第１外周面に係合可能で前記第３レンズの光軸を中心とした内周面が形成され、
前記凸部の基部寄りの内周部の箇所に、前記第３レンズの光軸を中心として環状に延在し前記第３係合面に係合可能な第４係合面が形成され、
前記第１、第２、第３レンズは、前記第１係合面と前記第２係合面を係合させ、前記第３係合面と前記第４係合面を係合させ、前記第１外周面と前記内周面とを係合させて配置されている、
ことを特徴とする電子機器。
【請求項１８】
前記電子機器は携帯電話機である、
ことを特徴とする請求項１７記載の電子機器。
【発明の詳細な説明】
【技術分野】
【０００１】
本発明はレンズの配置構造およびカメラモジュール並びに電子機器に関する。
【背景技術】
【０００２】
複数のレンズによって構成された撮影光学系によって導かれた被写体像を撮像素子で撮像する撮像装置などの電子機器が提供されている。
ところで、撮影光学系の光学性能を確保するため、複数のレンズはそれらの光軸が互いに一致するように位置決めする必要がある。
従来は、レンズを組み込む筒状部材（鏡筒）の内周面に、各レンズの外周面を当て付けて係合させることで各レンズの光軸方向と直交する方向の位置決めがなされている（特許文献１参照）。
【特許文献１】特開２００６−３０１６７２号公報
【発明の開示】
【発明が解決しようとする課題】
【０００３】
すなわち、従来では、例えば３枚のレンズを組み込む場合、３枚のレンズの光軸を合致させるため、筒状部材（鏡筒）の内周部の３箇所に当て付け面を形成する必要があった。
近年、カメラモジュールは携帯電話機のような小さい筐体に組み込まれてきており、レンズや筒状部材（鏡筒）も小さなものとなっている。
このような場合に従来と同様に、小さな筒状部材（鏡筒）の内周部の複数個所に、レンズの光軸を合致させるための当て付け面をそれぞれ形成していたのでは、加工コストが増大する。
本発明はこのような事情に鑑みなされたものであり、本発明の目的は、従来設けられていた筒状部材（鏡筒）の内周部のレンズの光軸を合致させるための複数の当て付け面を省略でき、コストダウンを図る上で有利なレンズの配置構造およびカメラモジュール並びに電子機器を提供することにある。
【課題を解決するための手段】
【０００４】
上述の目的を達成するため、本発明のレンズの配置構造は、第１、第２、第３レンズがこれらの順に並べて配置され、各レンズは中央に位置するレンズ部と、前記レンズ部の半径方向外側に位置する取り付け部とを有し、前記第２レンズの取り付け部は、前記第２レンズの光軸を中心とした外周面を有し、前記第２レンズの取り付け部で前記第１レンズに臨む箇所に、前記第２レンズの光軸に対して直交する平面上を延在する第１係合面が形成され、前記第２レンズの取り付け部で前記第３レンズに臨む箇所に、前記第２レンズの光軸に対して直交する平面上を延在する第２係合面が形成され、前記第１レンズの取り付け部で前記第２レンズに臨む箇所に、前記第１係合面に係合可能な第３係合面と、前記外周面に係合可能で前記第１レンズの光軸を中心とした第１内周面が形成され、前記第３レンズの取り付け部で前記第２レンズに臨む箇所に、前記第２係合面に係合可能な第４係合面と、前記外周面に係合可能で前記第３レンズの光軸を中心とした第２内周面が形成され、前記第１レンズと前記第２レンズは、前記第１係合面と前記第３係合面を係合させるとともに、前記第１内周面と前記外周面とを係合させて配置され、前記第２レンズと前記第３レンズは、前記第２係合面と前記第４係合面を係合させるとともに、前記第２内周面と前記外周面とを係合させて配置されていることを特徴とする。
また本発明のレンズの配置構造は、第１、第２、第３レンズがこれらの順に並べて配置され、各レンズは中央に位置するレンズ部と、前記レンズ部の半径方向外側に位置する取り付け部とを有し、前記第１レンズの取り付け部の外周部に前記第２レンズ側に向けて突出する環状の第１凸部が設けられ、前記第１凸部の外周部に前記第１レンズの光軸を中心とした第１外周面が形成され、前記第１凸部の内周部に前記第１レンズの光軸を中心とした第１内周面が形成され、前記第１凸部の半径方向内側の前記第１レンズの取り付け部の箇所で前記第２レンズに臨む箇所に、前記第１レンズの光軸に対して直交する平面上を延在する第１係合面が形成され、前記第２レンズの取り付け部の外周部に、前記第１内周面に係合可能で前記第２レンズの光軸を中心とした第２外周面が形成され、前記第２レンズの取り付け部で前記第１レンズに臨む箇所に、前記第１係合面に係合可能な第２係合面が形成され、前記第２レンズの取り付け部で前記第３レンズに臨む箇所に、前記第２レンズの光軸に対して直交する平面上を延在する第３係合面が形成され、前記第３レンズの取り付け部の外周部に前記第２レンズ側に向けて突出する環状の第２凸部が設けられ、前記第２凸部の内周部に、前記第１外周面に係合可能で前記第３レンズの光軸を中心とした第２内周面が形成され、前記第２凸部の半径方向内側の前記第３レンズの取り付け部の箇所で前記第２レンズに臨む箇所に、前記第３係合面に係合可能な第４係合面が形成され、前記第１レンズと前記第２レンズは、前記第１係合面と前記第２係合面を係合させるとともに、前記第１内周面と前記２外周面とを係合させて配置され、前記第３レンズは前記第１、第２レンズに対して、前記第３係合面と前記第４係合面を係合させるとともに、前記第1外周面と前記第２内周面とを係合させて配置されていることを特徴とする。
また、本発明のレンズの配置構造は、第１、第２、第３レンズがこれらの順に並べて配置され、各レンズは中央に位置するレンズ部と、前記レンズ部の半径方向外側に位置する取り付け部とを有し、前記第１レンズの前記取り付け部の外周部に前記第１レンズの光軸を中心とした第１外周面が形成され、前記第１レンズの前記取り付け部が前記第２レンズに臨む箇所に、前記第１レンズの光軸に対して直交する平面上を延在する第１係合面が形成され、前記第２レンズの前記取り付け部が前記第１レンズに臨む箇所に、前記第１係合面に係合可能な第２係合面が形成され、前記第２レンズの前記取り付け部の外周部で前記第１レンズ寄りの箇所に、前記第２の光軸を中心とした第２外周面が前記第１外周面よりも小さい寸法の半径で形成され、前記第２レンズの前記取り付け部の外周部で前記第３レンズ寄りの箇所に、前記第２レンズの光軸を中心とし前記第２レンズから離れるにつれて次第に半径が小さくなる環状のテーパ面からなる第３係合面が形成され、前記第３レンズの取り付け部の外周部に前記第１レンズ及び前記第２レンズ側に向けて突出する環状の凸部が設けられ、前記凸部の先部寄りの内周部の箇所に、前記第１外周面に係合可能で前記第３レンズの光軸を中心とした内周面が形成され、前記凸部の基部寄りの内周部の箇所に、前記第３レンズの光軸を中心として環状に延在し前記第３係合面に係合可能な第４係合面が形成され、前記第１、第２、第３レンズは、前記第１係合面と前記第２係合面を係合させ、前記第３係合面と前記第４係合面を係合させ、前記第１外周面と前記内周面とを係合させて配置されていることを特徴とする。
また本発明のカメラモジュールは、撮像素子と、被写体像を前記撮像素子に導く撮影光学系とを備え、前記撮影光学系は第１、第２、第３のレンズを含んで構成され、前記第１、第２、第３のレンズはそれらの順に並べられ、各レンズは中央に位置するレンズ部と、前記レンズ部の半径方向外側に位置する取り付け部とを有し、前記第２レンズの取り付け部は、前記第２レンズの光軸を中心とした外周面を有し、前記第２レンズの取り付け部で前記第１レンズに臨む箇所に、前記第２レンズの光軸に対して直交する平面上を延在する第１係合面が形成され、前記第２レンズの取り付け部で前記第３レンズに臨む箇所に、前記第２レンズの光軸に対して直交する平面上を延在する第２係合面が形成され、前記第１レンズの取り付け部で前記第２レンズに臨む箇所に、前記第１係合面に係合可能な第３係合面と、前記外周面に係合可能で前記第１レンズの光軸を中心とした第１内周面が形成され、前記第３レンズの取り付け部で前記第２レンズに臨む箇所に、前記第２係合面に係合可能な第４係合面と、前記外周面に係合可能で前記第３レンズの光軸を中心とした第２内周面が形成され、前記第１レンズと前記第２レンズは、前記第１係合面と前記第３係合面を係合させるとともに、前記第１内周面と前記外周面とを係合させて配置され、前記第２レンズと前記第３レンズは、前記第２係合面と前記第４係合面を係合させるとともに、前記第２内周面と前記外周面とを係合させて配置されていることを特徴とする。
また本発明は、カメラモジュールが組み込まれた電子機器であって、前記カメラモジュールは、撮像素子と、被写体像を前記撮像素子に導く撮影光学系とを備え、前記撮影光学系は第１、第２、第３のレンズを含んで構成され、前記第１、第２、第３のレンズはそれらの順に並べられ、各レンズは中央に位置するレンズ部と、前記レンズ部の半径方向外側に位置する取り付け部とを有し、前記第２レンズの取り付け部は、前記第２レンズの光軸を中心とした外周面を有し、前記第２レンズの取り付け部で前記第１レンズに臨む箇所に、前記第２レンズの光軸に対して直交する平面上を延在する第１係合面が形成され、前記第２レンズの取り付け部で前記第３レンズに臨む箇所に、前記第２レンズの光軸に対して直交する平面上を延在する第２係合面が形成され、前記第１レンズの取り付け部で前記第２レンズに臨む箇所に、前記第１係合面に係合可能な第３係合面と、前記外周面に係合可能で前記第１レンズの光軸を中心とした第１内周面が形成され、前記第３レンズの取り付け部で前記第２レンズに臨む箇所に、前記第２係合面に係合可能な第４係合面と、前記外周面に係合可能で前記第３レンズの光軸を中心とした第２内周面が形成され、前記第１レンズと前記第２レンズは、前記第１係合面と前記第３係合面を係合させるとともに、前記第１内周面と前記外周面とを係合させて配置され、前記第２レンズと前記第３レンズは、前記第２係合面と前記第４係合面を係合させるとともに、前記第２内周面と前記外周面とを係合させて配置されていることを特徴とする。
また本発明のカメラモジュールは、撮像素子と、被写体像を前記撮像素子に導く撮影光学系とを備え、前記撮影光学系は第１、第２、第３のレンズを含んで構成され、前記第１、第２、第３のレンズはそれらの順に並べられ、各レンズは中央に位置するレンズ部と、前記レンズ部の半径方向外側に位置する取り付け部とを有し、前記第１レンズの取り付け部の外周部に前記第２レンズ側に向けて突出する環状の第１凸部が設けられ、前記第１凸部の外周部に前記第１レンズの光軸を中心とした第１外周面が形成され、前記第１凸部の内周部に前記第１レンズの光軸を中心とした第１内周面が形成され、前記第１凸部の半径方向内側の前記第１レンズの取り付け部の箇所で前記第２レンズに臨む箇所に、前記第１レンズの光軸に対して直交する平面上を延在する第１係合面が形成され、前記第２レンズの取り付け部の外周部に、前記第１内周面に係合可能で前記第２レンズの光軸を中心とした第２外周面が形成され、前記第２レンズの取り付け部で前記第１レンズに臨む箇所に、前記第１係合面に係合可能な第２係合面が形成され、前記第２レンズの取り付け部で前記第３レンズに臨む箇所に、前記第２レンズの光軸に対して直交する平面上を延在する第３係合面が形成され、前記第３レンズの取り付け部の外周部に前記第２レンズ側に向けて突出する環状の第２凸部が設けられ、前記第２凸部の内周部に、前記第１外周面に係合可能で前記第３レンズの光軸を中心とした第２内周面が形成され、前記第２凸部の半径方向内側の前記第３レンズの取り付け部の箇所で前記第２レンズに臨む箇所に、前記第３係合面に係合可能な第４係合面が形成され、前記第１レンズと前記第２レンズは、前記第１係合面と前記第２係合面を係合させるとともに、前記第１内周面と前記２外周面とを係合させて配置され、前記第３レンズは前記第１、第２レンズに対して、前記第３係合面と前記第４係合面を係合させるとともに、前記第1外周面と前記第２内周面とを係合させて配置されていることを特徴とする。
また本発明は、カメラモジュールが組み込まれた電子機器であって、前記カメラモジュールは、撮像素子と、被写体像を前記撮像素子に導く撮影光学系とを備え、前記撮影光学系は第１、第２、第３のレンズを含んで構成され、前記第１、第２、第３のレンズはそれらの順に並べられ、各レンズは中央に位置するレンズ部と、前記レンズ部の半径方向外側に位置する取り付け部とを有し、前記第１レンズの取り付け部の外周部に前記第２レンズ側に向けて突出する環状の第１凸部が設けられ、前記第１凸部の外周部に前記第１レンズの光軸を中心とした第１外周面が形成され、前記第１凸部の内周部に前記第１レンズの光軸を中心とした第１内周面が形成され、前記第１凸部の半径方向内側の前記第１レンズの取り付け部の箇所で前記第２レンズに臨む箇所に、前記第１レンズの光軸に対して直交する平面上を延在する第１係合面が形成され、前記第２レンズの取り付け部の外周部に、前記第１内周面に係合可能で前記第２レンズの光軸を中心とした第２外周面が形成され、前記第２レンズの取り付け部で前記第１レンズに臨む箇所に、前記第１係合面に係合可能な第２係合面が形成され、前記第２レンズの取り付け部で前記第３レンズに臨む箇所に、前記第２レンズの光軸に対して直交する平面上を延在する第３係合面が形成され、前記第３レンズの取り付け部の外周部に前記第２レンズ側に向けて突出する環状の第２凸部が設けられ、前記第２凸部の内周部に、前記第１外周面に係合可能で前記第３レンズの光軸を中心とした第２内周面が形成され、前記第２凸部の半径方向内側の前記第３レンズの取り付け部の箇所で前記第２レンズに臨む箇所に、前記第３係合面に係合可能な第４係合面が形成され、前記第１レンズと前記第２レンズは、前記第１係合面と前記第２係合面を係合させるとともに、前記第１内周面と前記２外周面とを係合させて配置され、前記第３レンズは前記第１、第２レンズに対して、前記第３係合面と前記第４係合面を係合させるとともに、前記第1外周面と前記第２内周面とを係合させて配置されていることを特徴とする。
また本発明のカメラモジュールは、撮像素子と、被写体像を前記撮像素子に導く撮影光学系とを備え、前記撮影光学系は第１、第２、第３のレンズを含んで構成され、前記第１、第２、第３のレンズはそれらの順に並べられ、各レンズは中央に位置するレンズ部と、前記レンズ部の半径方向外側に位置する取り付け部とを有し、前記第１レンズの前記取り付け部の外周部に前記第１レンズの光軸を中心とした第１外周面が形成され、前記第１レンズの前記取り付け部が前記第２レンズに臨む箇所に、前記第１レンズの光軸に対して直交する平面上を延在する第１係合面が形成され、前記第２レンズの前記取り付け部が前記第１レンズに臨む箇所に、前記第１係合面に係合可能な第２係合面が形成され、前記第２レンズの前記取り付け部の外周部で前記第１レンズ寄りの箇所に、前記第２の光軸を中心とした第２外周面が前記第１外周面よりも小さい寸法の半径で形成され、前記第２レンズの前記取り付け部の外周部で前記第３レンズ寄りの箇所に、前記第２レンズの光軸を中心とし前記第２レンズから離れるにつれて次第に半径が小さくなる環状のテーパ面からなる第３係合面が形成され、前記第３レンズの取り付け部の外周部に前記第１レンズ及び前記第２レンズ側に向けて突出する環状の凸部が設けられ、前記凸部の先部寄りの内周部の箇所に、前記第１外周面に係合可能で前記第３レンズの光軸を中心とした内周面が形成され、前記凸部の基部寄りの内周部の箇所に、前記第３レンズの光軸を中心として環状に延在し前記第３係合面に係合可能な第４係合面が形成され、前記第１、第２、第３レンズは、前記第１係合面と前記第２係合面を係合させ、前記第３係合面と前記第４係合面を係合させ、前記第１外周面と前記内周面とを係合させて配置されていることを特徴とする。
また本発明は、カメラモジュールが組み込まれた電子機器であって、前記カメラモジュールは、撮像素子と、被写体像を前記撮像素子に導く撮影光学系とを備え、前記撮影光学系は第１、第２、第３のレンズを含んで構成され、前記第１、第２、第３のレンズはそれらの順に並べられ、各レンズは中央に位置するレンズ部と、前記レンズ部の半径方向外側に位置する取り付け部とを有し、前記第１レンズの前記取り付け部の外周部に前記第１レンズの光軸を中心とした第１外周面が形成され、前記第１レンズの前記取り付け部が前記第２レンズに臨む箇所に、前記第１レンズの光軸に対して直交する平面上を延在する第１係合面が形成され、前記第２レンズの前記取り付け部が前記第１レンズに臨む箇所に、前記第１係合面に係合可能な第２係合面が形成され、前記第２レンズの前記取り付け部の外周部で前記第１レンズ寄りの箇所に、前記第２の光軸を中心とした第２外周面が前記第１外周面よりも小さい寸法の半径で形成され、前記第２レンズの前記取り付け部の外周部で前記第３レンズ寄りの箇所に、前記第２レンズの光軸を中心とし前記第２レンズから離れるにつれて次第に半径が小さくなる環状のテーパ面からなる第３係合面が形成され、前記第３レンズの取り付け部の外周部に前記第１レンズ及び前記第２レンズ側に向けて突出する環状の凸部が設けられ、前記凸部の先部寄りの内周部の箇所に、前記第１外周面に係合可能で前記第３レンズの光軸を中心とした内周面が形成され、前記凸部の基部寄りの内周部の箇所に、前記第３レンズの光軸を中心として環状に延在し前記第３係合面に係合可能な第４係合面が形成され、前記第１、第２、第３レンズは、前記第１係合面と前記第２係合面を係合させ、前記第３係合面と前記第４係合面を係合させ、前記第１外周面と前記内周面とを係合させて配置されていることを特徴とする。
【発明の効果】
【０００５】
本発明によれば、レンズ同士の係合により、各レンズの光軸を簡単かつ容易に合致させることができ、また、各レンズの光軸方向の位置決めも簡単かつ容易に行うことができる。
したがって、レンズの位置決め精度を確保できることは無論のこと、従来のような筒状部材が不要となるため、加工コストや部品コストの削減を図る上で有利となり、また、小型化を図る上でも有利となる。
【発明を実施するための最良の形態】
【０００６】
まず、本発明のレンズの配置構造が適用されたカメラモジュール１０が組み込まれる電子機器１００について説明する。
図１は第１の実施の形態のカメラモジュール１０が組み込まれた電子機器１００の一例の説明図で、（Ａ）は第２の筐体１０６上に第１の筐体１０４が重ね合わされ閉じた状態の外観図、（Ｂ）は第２の筐体１０６に対して第１の筐体１０４が開いた状態の外観図である。
図１に示すように、本実施の形態では、カメラモジュール１０が組み込まれた電子機器１００は携帯電話機である。
電子機器１００は、ヒンジ部１０２によって揺動可能に連結された第１、第２の筐体１０４、１０６を有している。
第１の筐体１０４の内面には液晶表示パネルなどで構成されるディスプレイ１０８が設けられ、第２の筐体１０６の内面にはテンキーや機能キーなどの操作部１１０が設けられている。
カメラモジュール１０は、第１の筐体１０４の基端部に組み込まれ、撮像装置１００で撮像した画像はディスプレイ１０８に表示されるように構成されている。
図１（Ａ）において、符号１１２は、第１の筐体１０４に組み込まれたカメラモジュール１０のレンズ１２（図２参照）の前方に設けられた透明材料からなるレンズカバーを示す。
【０００７】
図２は電子機器１００の制御系の構成を示すブロック図である。
電子機器１００は、カメラモジュール１０、ディスプレイ１０８、操作部１１０に加えて、システムコントロール部１４０、メモリ媒体コントローラ１５０などを含んで構成されている。
カメラモジュール１０は、撮像部１３０を含んで構成され、撮像部１３０は基板１８（図３参照）に実装されている。
撮像部１３０は、カメラモジュール１０の撮像素子１４を用いて被写体の撮像を行い、撮像信号をメイン基板に搭載されたシステムコントロール部１４０に出力するものである。
すなわち、撮像部１３０では、撮像素子の出力信号に対し、ＡＧＣ（自動利得制御）、ＯＢ（オプティカルブラック）クランプ、ＣＤＳ（相関二重サンプリング）といった処理を行ってデジタル撮像信号を生成し、システムコントロール部１４０に出力する。
【０００８】
システムコントロール部１４０は、ＣＰＵ１４１、ＲＯＭ１４２、ＲＡＭ１４３、ＤＳＰ１４４、外部インターフェース１４５等が設けられている。
ＣＰＵ１４１は、ＲＯＭ１４２及びＲＡＭ１４３を用いて電子機器１０の各部に指示を送り、システム全体の制御を行うものである。
また、ＣＰＵ１４１は、操作部１１０からの入力信号を監視し、その入力内容に基づいて各種の動作制御を実行するものである。
ＤＳＰ１４４は、撮像部１２０からの撮像信号に対して各種の信号処理を行うことにより、所定のフォーマットによる静止画または動画の映像信号（例えばＹＵＶ信号等）を生成するものである。
外部インターフェース１４５には、各種エンコーダやＤ／Ａ変換器が設けられ、システムコントロール部１４０に接続される外部要素（本例では、ディスプレイ１０８、操作部１１０、メモリ媒体１５１）との間で、各種制御信号やデータをやり取りするものである。
【０００９】
メモリ媒体コントローラ１５０は、システムコントローラ１４０から出力される静止画または動画の映像信号を画像データとしてメモリ媒体１５１に記録し、また、メモリ媒体１５１から画像データを読み出してシステムコントローラ１４０に供給するものである。
メモリ媒体１５１は、例えば、電子機器１０に取り出し不能に組み込まれた内蔵メモリ、あるいは、電子機器１０に設けられた不図示のメモリスロットを介して装脱可能に装着されるメモリカードである。
【００１０】
次にカメラモジュール１０の構成について詳細に説明する。
図３はカメラモジュール１０の構成を示す断面図である。
カメラモジュール１０は、レンズ１２と、撮像素子１４と、ホルダ１６と、基板１８とを含んで構成されている。
【００１１】
図３に示すように、撮像素子１４は基板１８に搭載されている。
撮像素子１４は撮影光学系を構成するレンズ１２によって導かれた被写体像を撮像して撮像信号を生成するものである。
撮像素子１４として、ＣＣＤやＣ−ＭＯＳセンサあるいは従来公知のさまざまな撮像素子を用いることができる。
撮像素子１４は、多くの場合、被写体像が導かれる撮像面１４０２が形成された素子本体１４０４と、素子本体１４０４を収容する収容凹部１４０６を有するパッケージ１４０８と、撮像面１４０２を覆うように収容凹部１４０６を閉塞する透明なカバーガラス１４１０などを有している。
そして、パッケージ１４０８の底面が基板１８の表面に接着剤２により取り付けられ、パッケージ１４０８の底面またはパッケージ１４０８の側面下部に露出する接続端子と基板１８の表面の接続端子とが半田付けにより接続されている。
【００１２】
図３に示すように、ホルダ１６は、撮像素子１４が収容されたパッケージ１４０８を覆うように設けられている。
ホルダ１６は基板１８に接着剤２により取着されている。
ホルダ１６は、基板１８に取着されパッケージ１４０８を囲む下部大径部１６Ａと、下部大径部１６Ａに続く上部小径部１６Ｂとを有し、上部小径部１６Ｂの先部には開口１６Ｃが形成されている。
【００１３】
レンズ１２は上部小径部１６Ｂに取着されている。
図４はレンズ１２の構成を示す断面図である。
図４に示すように、レンズ１２は本実施の形態では、第１レンズ２０、第２レンズ２２、第３レンズ２４の３枚が用いられている。
それら第１レンズ２０、第２レンズ２２、第３レンズ２４は光軸を合致させてそれらの順に前方から後方に向けて（被写体側から撮像素子１４側に向けて）配置されている。
【００１４】
まず、中央に配置される第２レンズ２２から説明する。
第２レンズ２２は中央に位置するレンズ部２２Ａと、レンズ部２２Ａの半径方向外側に位置する取り付け部２２Ｂとを有している。
レンズ部２２Ａは第１レンズ２０に臨む凹状のレンズ面２２２０と第３レンズ２４に臨む凹状のレンズ面２２２２を有している。
取り付け部２２Ｂは、第２レンズ２２の光軸を中心とした外周面２２０２を有している。
第２レンズ２２の取り付け部２２Ｂで第１レンズ２０に臨む箇所に、第２レンズ２２の光軸に対して直交する平面上で前記光軸を中心として環状に延在する第１係合面２２０４が形成されている。
第２レンズ２２の取り付け部２２Ｂで第３レンズ２４に臨む箇所に、第２レンズ２２の光軸に対して直交する平面上で前記光軸を中心として環状に延在する第２係合面２２０６が形成されている。
【００１５】
第１レンズ２０は中央に位置するレンズ部２０Ａと、レンズ部２０Ａの半径方向外側に位置する取り付け部２０Ｂとを有している。
レンズ部２０Ａは開口１６Ｃ（図３参照）に臨む凸状のレンズ面２０２０と第２レンズ２２に臨む凸状のレンズ面２０２２を有している。
第１レンズ２０の取り付け部２０Ｂの外周部から第２レンズ２２側に向けて環状の第１凸部２００２が設けられている。
第１凸部２００２の内側の取り付け部２０Ｂの箇所で第２レンズ２２に臨む箇所に、第１係合面２２０４に係合可能な第３係合面２００４が形成されている。第３係合面２００４は、第１レンズ２０の光軸に対して直交する平面上で前記光軸を中心として環状に延在している。
第１凸部２００２の内周部に外周面２２０２に係合可能な第１内周面２００６が形成されている。第１内周面２００６は第１レンズ２０の光軸を中心とする円筒面で形成されている。
【００１６】
第３レンズ２４は中央に位置するレンズ部２４Ａと、レンズ部２４Ａの半径方向外側に位置する取り付け部２４Ｂとを有している。
レンズ部２４Ａは第２レンズ２２に臨む凹状のレンズ面２４２０と撮像素子１４（図３参照）に臨む凹状のレンズ面２４２２を有している。
第３レンズ２４の取り付け部２４Ｂの外周部から第２レンズ２２側に向けて環状の第２凸部２４０２が設けられている。
第２凸部２４０２の内側の取り付け部２４Ｂの箇所で第２レンズ２２に臨む箇所に、第２係合面２２０６に係合可能な第４係合面２４０４が形成されている。第４係合面２４０４は、第３レンズ２４の光軸に対して直交する平面上で前記光軸を中心として環状に延在している。
第２凸部２４０２の内周部に外周面２２０２に係合可能な第２内周面２４０６が形成されている。第２内周面２４０６は第３レンズ２４の光軸を中心とする円筒面で形成されている。
なお、第１レンズ２０の取り付け部２０Ｂの外周面２０１０と第３レンズ２４の取り付け部２４Ｂの外周面２４１０とは同一の直径で形成されている。
【００１７】
第１、第２、第３レンズ２０、２２、２４は、従来のように、それらレンズ２０、２２、２４の外周面が筒状部材（鏡筒）の内周面に係合することで、それらの光軸が合致されるのではなく、図４に示すように、隣り合う第１、第２、第３レンズ２０、２２、２４が互いに係合することにより光軸が合致される。
まず、第１レンズ２０と第２レンズ２２の配置について説明する。
第１レンズ２０と第２レンズ２２は、第１係合面２２０４と第３係合面２００４を係合させるとともに、第１内周面２００６と外周面２２０２とを係合させて配置されている。
これにより、第１レンズ２０と第２レンズ２２は互いの光軸が合致されると同時に、第１レンズ２０のレンズ部２０Ａと第２レンズ２２のレンズ部２２Ａとの光軸方向における間隔が決定される。
このように係合した状態でレンズ面２０２２とレンズ面２２２０の間に隙間が確保される。
言い換えると、第１レンズ２０と第２レンズ２２とは、光軸と直交する方向の位置決めと、光軸方向の位置決めとが同時になされる。
【００１８】
次に、第２レンズ２２と第３レンズ２４の配置について説明する。
第１レンズ２０と第２レンズ２２との位置決めがなされた状態で、第２レンズ２２と第３レンズ２４は、第２係合面２２０６と第４係合面２４０４を係合させるとともに、第２内周面２４０６と外周面２２０２とを係合させて配置されている。
これにより、第２レンズ２２と第３レンズ２４は互いの光軸が合致されると同時に、第２レンズ２２のレンズ部２２Ａと第３レンズ２４のレンズ部２４Ａとの光軸方向における間隔が決定される。
このように係合した状態でレンズ面２２２２とレンズ面２４２０の間に隙間が確保される。
言い換えると、第２レンズ２２と第３レンズ２４とは、光軸と直交する方向の位置決めと、光軸方向の位置決めとが同時になされる。
そして、第１係合面２２０４と第３係合面２００４とが係合し、第１内周面２００６と外周面２２０２とが係合し、第２係合面２２０６と第４係合面２４０４とが係合し、第２内周面２４０６と外周面２２０２とが係合した状態で、第１凸部２００２の先端と第２凸部２４０２の先端との間にレンズ１２の光軸方向に平行する方向に沿った隙間Ｓが確保されている。
この結果、第１、第２、第３レンズ２０、２２、２４は、レンズ部２０Ａ、２２Ａ、２４Ａの光軸が合致され、また、レンズ部２０Ａ、２２Ａ、２４Ａの光軸方向の位置決めがなされる。言い換えると、レンズ２０、２２、２４同士が係合することでそれらの光軸が合致される。
この状態で第１、第２、第３レンズ２０、２２、２４を互いに接着剤により接着することでレンズ１２の組み立てが完了する。なお、このような接着剤としては、例えば、紫外線硬化型接着剤を用いることができる。
また、接着剤を用いる代わりに、第１、第２、第３レンズ２０、２２、２４の部分を熱溶着することで各レンズ２０、２２、２４を接合し、これによりレンズ１２の組み立てを行ってもよく、このような複数のレンズを結合する構造として従来公知のさまざまな結合構造が採用可能である。
【００１９】
図３に示すように、組み立てられたレンズ１２を、ホルダ１６の上部小径部１６Ｂに取着する。
詳細には、上部小径部１６Ｂには、開口１６Ｃの周囲に撮像素子１４に臨む環状の係合面１６２０が形成され、また、係合面１６２０に続く円筒面状の係合面１６２２が形成されている。
そして、上部小径部１６Ｂの係合面１６２０に、第１レンズ２０の取り付け部２０Ｂの面が係合され、上部小径部１６Ｂの係合面１６２２に、第１レンズ２０の外周面２０１０が係合されることで、上部小径部１６Ｂに対する第１、第２、第３レンズ２０、２２、２４の位置決めがなされ、この状態で接着剤によって第１レンズ２０が上部小径部１６Ｂに取着される。
なお、レンズ１２のホルダ１６への組み込みは、次のように第１、第２、第３レンズ２０、２２、２４を順番にホルダ１６に取着することで行ってもよい。
すなわち、図３、図４に示すように、第１レンズ２０を、係合面１６２０、取り付け部２０Ｂの面、係合面１６２２、外周面２０１０を介して上部小径部１６Ｂに係合し接着剤で第１レンズ２０を取着する。
次いで、第１レンズ２０に対して第２レンズ２２を、第１係合面２２０４、第３係合面２００４、第１内周面２００６、外周面２２０２を介して係合して接着剤で第１レンズ２０に第２レンズ２２を取着する。
次いで、第２レンズ２２に対して第３レンズ２４を、第２係合面２２０６、第４係合面２４０４、第２内周面２４０６、外周面２２０２を介して係合して接着剤で第２レンズ２２に第３レンズ２４を取着する。
このようにしてレンズ１２をホルダ１６に組み込んでもよい。
【００２０】
本実施の形態によれば、第２レンズ２２の外周面２２０２に第１、第３レンズ２０、２４の内周面２００６、２４０６を係合させることにより、第１、第２、第３レンズ２０、２２、２４の光軸を簡単かつ容易に合致させることができる。
また、第２レンズ２２の第１係合面２２０４に第１レンズ２０の第３係合面２００４を係合させ、第２レンズ２２の第２係合面２２０６に第３レンズ２４の第４係合面２４０４を係合させることにより、第１、第２、第３レンズ２０、２２、２４の光軸方向の位置決めも簡単かつ容易に行うことができる。
したがって、従来のように、筒状部材（鏡筒）の内周部の複数の当て付け面に、各レンズの外周面を当て付けて係合させることで各レンズの光軸と直交する方向の位置決めを行う構造に比較して、レンズの位置決め精度を確保できることは無論のこと、筒状部材が不要となるため、加工コストや部品コストの削減を図る上で有利となり、また、小型化を図る上でも有利となる。
また、レンズの光軸方向の位置決め用の調整機構を設けたり、専用の治具を用いてレンズの光軸方向の位置決めを行う必要が無いため、部品コストや組み立てコストの削減を図る上でより一層有利となる。
また本実施の形態では、第２レンズ２２の外周面２２０２に第１、第３レンズ２０、２４の内周面２００６、２４０６を係合させることにより、第１、第２、第３レンズ２０、２２、２４の光軸を合致させるようにしたので、第２レンズ２２の光軸に対して第１レンズ２０の光軸を精度よく合致させるとともに、第２レンズ２２の光軸に対して第３レンズ２４の光軸を精度よく合致させる上で有利となり、言い換えると、第２レンズ２２の偏心感度が高い場合に有利となる。
【００２１】
（第２の実施の形態）
次に第２の実施の形態について説明する。
図５は第２の実施の形態のカメラモジュール１０の構成を示す断面図、図６は第２の実施の形態におけるレンズ３０の構成を示す断面図である。なお、以下の実施の形態では第１の実施の形態と同様の部分、部材には同一の符号を付して説明する。
図５に示すように、レンズ３０は上部小径部１６Ｂに取着されている。
図６に示すように、レンズ３０は本実施の形態では、第１レンズ３２、第２レンズ３４、第３レンズ３６の３枚が用いられている。
それら第１レンズ３２、第２レンズ３４、第３レンズ３６は光軸を合致させてそれらの順に前方から後方に向けて（被写体側から撮像素子１４側に向けて）配置されている。
【００２２】
まず、第１レンズ３２から説明する。
第１レンズ３２は中央に位置するレンズ部３２Ａと、レンズ部３２Ａの半径方向外側に位置する取り付け部３２Ｂとを有している。
レンズ部３２Ａは開口１６Ｃ（図５参照）に臨む凸状のレンズ面３２２０と第２レンズ３４に臨む凸状のレンズ面３２２２を有している。
第１レンズ３２の取り付け部の外周部に第２レンズ側に向けて突出する環状の第１凸部３２０２が設けられ、
第１凸部３２０２の外周部に第１レンズ３２の光軸を中心とした第１外周面３２０４が形成されている。
第１凸部３２０２の内周部に第１レンズ３２の光軸を中心とした第１内周面３２０６が形成されている。
第１凸部３２０２の半径方向内側の第１レンズ３２の取り付け部３２Ｂの箇所で第２レンズ３４に臨む箇所に、第１レンズ３２の光軸に対して直交する平面上で光軸を中心として環状に延在する第１係合面３２０８が形成されている。
【００２３】
次に第２レンズ３４について説明する。
第２レンズ３４は中央に位置するレンズ部３４Ａと、レンズ部３４Ａの半径方向外側に位置する取り付け部３４Ｂとを有している。
レンズ部３４Ａは第１レンズ３２に臨む凹状のレンズ面３４２０と第３レンズ３６に臨む凹状のレンズ面３４２２を有している。
第２レンズ３４の取り付け部３４Ｂの外周部に、第１内周面３２０６に係合可能で第２レンズ３４の光軸を中心とした第２外周面３４０２が形成されている。
第２レンズ３４の取り付け部３４Ｂで第１レンズ３２に臨む箇所に、第１係合面３２０８に係合可能な第２係合面３４０４が形成されている。第２係合面３４０４は、第２レンズ３４の光軸に対して直交する平面上で前記光軸を中心として環状に延在している。
第２レンズ３４の取り付け部３４Ｂで第３レンズ３６に臨む箇所に、第２レンズ３４の光軸に対して直交する平面上で前記光軸を中心として環状に延在する第３係合面３４０６が形成されている。
【００２４】
次に第３レンズ３６について説明する。
第３レンズ３６は中央に位置するレンズ部３６Ａと、レンズ部３６Ａの半径方向外側に位置する取り付け部３６Ｂとを有している。
レンズ部３６Ａは第２レンズ３４に臨む凸状のレンズ面３６２０と撮像素子１４（図５参照）に臨む凸状のレンズ面３６２２を有している。
第３レンズ３６の取り付け部３６Ｂの外周部に第２レンズ３４側に向けて突出する環状の第２凸部３６０２が設けられている。
第２凸部３６０２の内周部に、第１外周面３２０４に係合可能で第３レンズ３６の光軸を中心とした第２内周面３６０４が形成されている。
第２凸部３６０２の半径方向内側の第３レンズ３６の取り付け部３６Ｂの箇所で第２レンズ３４に臨む箇所に、第３係合面３４０６に係合可能な第４係合面３６０６が形成されている。第４係合面３６０６は、第３レンズ３６の光軸に対して直交する平面上で前記光軸を中心として環状に延在している。
【００２５】
第１、第２、第３レンズ３２、３４、３６は、従来のように、それらレンズ３２、３４、３６の外周面が筒状部材（鏡筒）の内周面に係合することで、それらの光軸が合致されるのではなく、図６に示すように、隣り合う第１、第２、第３レンズ３２、３４、３６が互いに係合することにより光軸が合致される。
まず、第１レンズ３２と第２レンズ３４の配置について説明する。
第１レンズ３２と第２レンズ３４は、第１係合面３２０８と第３係合面３４０６を係合させるとともに、第１内周面３２０６と第２外周面３４０２とを係合させて配置されている。
これにより、第１レンズ３２と第２レンズ３４は互いの光軸が合致されると同時に、第１レンズ３２のレンズ部３２Ａと第２レンズ３４のレンズ部３４Ａとの光軸方向における間隔が決定される。
このように係合した状態でレンズ面３２２２とレンズ面３４２０の間に隙間が確保される。
言い換えると、第１レンズ３２と第２レンズ３４とは、光軸と直交する方向の位置決めと、光軸方向の位置決めとが同時になされる。
【００２６】
次に、第１、第２レンズ３２、３４に対する第３レンズ３６の配置について説明する。
第３レンズ３６は第１、第２レンズ３２、３４に対して、第３係合面３４０６と第４係合面３６０６を係合させるとともに、第１外周面３２０４と第２内周面３６０４とを係合させて配置されている。
第１外周面３２０４と第２内周面３６０４とが係合することにより第１レンズ３２と第３レンズ３６は互いの光軸が合致され、したがって、第２レンズ３４の光軸も第１レンズ３２と第３レンズ３６の光軸と合致される。
また、第３係合面３４０６と第４係合面３６０６とが係合することにより、第２レンズ３４のレンズ部３４Ａと第３レンズ３６のレンズ部３６Ａとの光軸方向における間隔が決定される。
このように係合した状態でレンズ面３４２２とレンズ面３６２０の間に隙間が確保される。
言い換えると、第２レンズ３４と第３レンズ３６とは、光軸と直交する方向の位置決めと、光軸方向の位置決めとが同時になされる。
そして、第１係合面３２０８と第２係合面３４０４とが係合し、第１内周面３２０６と２外周面とが係合し、第３係合面３４０６と第４係合面３６０６とが係合し、第１外周面３２０４と第２内周面３６０４とが係合した状態で、第１凸部３２０２の先端と、この第１凸部３２０２に臨む第３レンズ３６の取り付け部３６Ｂの箇所との間に、レンズ３０の光軸方向に平行する方向に沿った隙間Ｓが確保されている。
この結果、第１、第２、第３レンズ３２、３４、３６は、レンズ部３２Ａ、３４Ａ、３６Ａの光軸が合致され、また、レンズ部３２Ａ、３４Ａ、３６Ａの光軸方向の位置決めがなされる。言い換えると、レンズ３２、３４、３６同士が係合することでそれらの光軸が合致される。
この状態で第１、第２、第３レンズ３２、３４、３６を互いに接着剤により接着することで、あるいは、第１、第２、第３レンズ３２、３４、３６を熱溶着によって接合することで、レンズ１２の組み立てが完了する。
【００２７】
図５に示すように、組み立てられたレンズ３０を、ホルダ１６の上部小径部１６Ｂに取着する。
詳細には、上部小径部１６Ｂの係合面１６２０に、第１レンズ３２の取り付け部３２Ｂの面が係合され、上部小径部１６Ｂの係合面１６２２に、第１レンズ３２の第１外周面３２０４が係合されることで、上部小径部１６Ｂに対する第１、第２、第３レンズ３２、３４、３６の位置決めがなされ、この状態で接着剤によって第１レンズ３２が上部小径部１６Ｂに取着される。
なお、レンズ３０のホルダ１６への組み込みは、次のように第１、第２、第３レンズ３２、３４、３６を順番にホルダ１６に取着することで行ってもよい。
すなわち、図５、図６に示すように、第１レンズ３２を、係合面１６２０、取り付け部３２Ｂの面、係合面１６２２、第１外周面３２０４を介して上部小径部１６Ｂに係合し接着剤で第１レンズ３２を取着する。
次いで、第１レンズ３２に対して第２レンズ３４を、第１係合面３２０８、第２係合面３４０４、第１内周面３２０６、第２外周面３４０２を介して係合して接着剤で第１レンズ３２に第２レンズ３４を取着する。
次いで、第１、第２レンズ３２、３４に対して第３レンズ３６を、第３係合面３４０６、第４係合面３６０６、第１外周面３２０４、第２内周面３６０４を介して係合して接着剤で第１、第２レンズ３２、３４に第３レンズ３６を取着する。
このようにしてレンズ３０をホルダ１６に組み込んでもよい。
【００２８】
第２の実施の形態によれば、第１レンズ３２の第１内周面３２０６と第２レンズ３４の第２外周面３４０２とを係合させ、第１レンズ３２の第１外周面３２０４と第３レンズ３６の第２内周面３６０４とを係合させることにより、第１、第２、第３レンズ３２、３４、３６の光軸を簡単かつ容易に合致させることができる。
また、第１レンズ３２の第１係合面３２０８と第２レンズ３４の第２係合面３４０２を係合させ、第２レンズ３４の第３係合面３４０６と第３レンズ３６の第４係合面３６０６を係合させることにより、第１、第２、第３レンズ３２、３４、３６の光軸方向の位置決めも簡単かつ容易に行うことができる。
したがって、第１の実施の形態と同様の効果が奏される。
また第２の実施の形態では、第１レンズ３２の第１内周面３２０６に第２レンズ３４の第２外周面３４０２を係合させ、第１レンズ３２の第１外周面３２０４に第３レンズ３６の第２内周面３６０４を係合させることにより、第１、第２、第３レンズ３２、３４、３６の光軸を合致させるようにしたので、第１レンズ３２の光軸に対して第２レンズ３４の光軸を精度よく合致させるとともに、第１レンズ３２の光軸に対して第３レンズ３６の光軸を精度よく合致させる上で有利となり、言い換えると、第１レンズ３２の偏心感度が高い場合に有利となる。
【００２９】
（第３の実施の形態）
次に第３の実施の形態について説明する。
図７は第３の実施の形態のカメラモジュール１０の構成を示す断面図、図８は第３の実施の形態におけるレンズ４０の構成を示す断面図である。
図７に示すように、レンズ４０は上部小径部１６Ｂに取着されている。
図８に示すように、レンズ４０は本実施の形態では、第１レンズ４２、第２レンズ４４、第３レンズ４６の３枚が用いられている。
それら第１レンズ４２、第２レンズ４４、第３レンズ４６は光軸を合致させてそれらの順に前方から後方に向けて（被写体側から撮像素子１４側に向けて）配置されている。
【００３０】
まず、第１レンズ４２から説明する。
第１レンズ４２は中央に位置するレンズ部４２Ａと、レンズ部４２Ａの半径方向外側に位置する取り付け部４２Ｂとを有している。
レンズ部４２Ａは開口１６Ｃ（図７参照）に臨む凸状のレンズ面４２２０と第２レンズ４４に臨む凸状のレンズ面４２２２を有している。
第１レンズ４２の取り付け部４２Ｂの外周部に第１レンズ４２の光軸を中心とした第１外周面４２０２が形成されている。
第１レンズ４２の取り付け部４２Ｂが第２レンズ４４に臨む箇所に、第１レンズ４２の光軸に対して直交する平面上で光軸を中心として環状に延在する第１係合面４２０４が形成されている。
【００３１】
次に第２レンズ４４について説明する。
第２レンズ４４は中央に位置するレンズ部４４Ａと、レンズ部４４Ａの半径方向外側に位置する取り付け部４４Ｂとを有している。
レンズ部４４Ａは第１レンズ４２に臨む凹状のレンズ面４４２０と第３レンズ４６に臨む凹状のレンズ面４４２２を有している。
第２レンズ４４の取り付け部４４Ｂが第１レンズ４２に臨む箇所に、第１係合面４２０４に係合可能な第２係合面４４０２が形成されている。第２係合面４４０２は、第２レンズ４４の光軸に対して直交する平面上で光軸を中心として環状に延在している。
第２レンズ４４の取り付け部４４Ｂの外周部で第１レンズ４２寄りの箇所に、第２の光軸を中心とした第２外周面４４０４が第１外周面４２０２よりも小さい寸法の半径で形成されている。
第２レンズ４４の取り付け部４４Ｂの外周部で第３レンズ４６寄りの箇所に、第２レンズ４４の光軸を中心とし第２レンズ４４から離れるにつれて次第に半径が小さくなる環状のテーパ面からなる第３係合面４４０６が形成されている。
【００３２】
次に第３レンズ４６について説明する。
第３レンズ４６は中央に位置するレンズ部４６Ａと、レンズ部４６Ａの半径方向外側に位置する取り付け部４６Ｂとを有している。
レンズ部４６Ａは第２レンズ４４に臨む凸状のレンズ面４６２０と撮像素子１４（図７参照）に臨む凸状のレンズ面４６２２を有している。
第３レンズ４６の取り付け部の外周部に第１レンズ４２及び第２レンズ４４側に向けて突出する環状の凸部４６０２が設けられている。
凸部４６０２の先部寄りの内周部の箇所に、第１外周面４２０２に係合可能で第３レンズ４６の光軸を中心とした内周面４６０４が形成されている。
凸部４６０２の基部寄りの内周部の箇所に、第３レンズ４６の光軸を中心として環状に延在し第３係合面４４０６に係合可能な第４係合面４６０６が形成されている。第４係合面４６０６は、第３レンズ４６の光軸を中心とし第３レンズ４６から離れるにつれて次第に半径が大きくなる環状のテーパ面で形成されている。
【００３３】
第１、第２、第３レンズ４２、４４、４６は、従来のように、それらレンズ４２、４４、４６の外周面が筒状部材（鏡筒）の内周面に係合することで、それらの光軸が合致されるのではなく、図８に示すように、隣り合う第１、第２、第３レンズ４２、４４、４６が互いに係合することにより光軸が合致される。
第１、第２、第３レンズ４２、４４、４６の配置について説明する。
第１、第２、第３レンズ４２、４４、４６は、第１係合面４２０４と第２係合面４４０２を係合させ、第３係合面４４０６と第４係合面４６０６を係合させ、第１外周面４２０２と内周面４６０４とを係合させて配置されている。
すなわち、第１外周面４２０２と内周面４６０４とが係合することにより、第１レンズ４２と第３レンズ４６は互いの光軸が合致される。
また、第３係合面４４０６と第４係合面４６０６が係合することにより、第２レンズ４４と第３レンズ４６は互いの光軸が合致される。
これにより、第１、第２、第３レンズ４２、４４、４６の光軸が合致される。
そして、第１係合面４２０４と第２係合面４４０２とが係合されることにより、第１レンズ４２のレンズ部４２Ａと第２レンズ４４のレンズ部４４Ａとの光軸方向における間隔が決定される。
また、第３係合面４４０６と第４係合面４６０６が係合することにより、第２レンズ４４のレンズ部４４Ａと第３レンズ４６のレンズ部４６Ａとの光軸方向における間隔が決定される。
これにより、第１、第２、第３レンズ４２、４４、４６の光軸方向の位置決めがなされる。
したがって、第１、第２、第３レンズ４２、４４、４６は、光軸と直交する方向の位置決めと、光軸方向の位置決めとが同時になされる。
そして、第１係合面４２０４と第２係合面４４０２とが係合し、第３係合面４４０６と第４係合面４６０６とが係合し、第１外周面４２０２と内周面４６０４とが係合した状態で、第３係合面４４０６の半径方向の内側に位置し第２レンズ４４の取り付け部４４Ｂが第３レンズ４６に臨む箇所と、第４係合面４６０６の半径方向の内側に位置し第３レンズ４６の取り付け部４６Ｂが第２レンズ４４に臨む箇所との間に、レンズ４０の光軸方向に平行する方向に沿った隙間Ｓが確保されている。
【００３４】
この結果、第１、第２、第３レンズ４２、４４、４６は、レンズ部４２Ａ、４４Ａ、４６Ａの光軸が合致され、また、レンズ部４２Ａ、４４Ａ、４６Ａの光軸方向の位置決めがなされる。言い換えると、レンズ４２、４４、４６同士が係合することでそれらの光軸が合致される。
この状態で第１、第２、第３レンズ４２、４４、４６を互いに接着剤により接着することで、あるいは、第１、第２、第３レンズ４２、４４、４６を熱溶着によって接合することで、レンズ１２の組み立てが完了する。
【００３５】
図７に示すように、組み立てられたレンズ４０を、ホルダ１６の上部小径部１６Ｂに取着する。
詳細には、上部小径部１６Ｂの係合面１６２０に、第１レンズ４２の取り付け部４２Ｂの面が係合され、上部小径部１６Ｂの係合面１６２２に、第１レンズ４２の第１外周面４２０４が係合されることで、上部小径部１６Ｂに対する第１、第２、第３レンズ４２、４４、４６の位置決めがなされ、この状態で接着剤によって第１レンズ４２が上部小径部１６Ｂに取着される。
なお、レンズ４０のホルダ１６への組み込みは、次のように第１、第２、第３レンズ４２、４４、４６を順番にホルダ１６に取着することで行ってもよい。
すなわち、図７、図８に示すように、第１レンズ４２を、係合面１６２０、取り付け部４２Ｂの面、係合面１６２２、第１外周面４２０４を介して上部小径部１６Ｂに係合し接着剤で第１レンズ４２を取着する。
次いで、第３係合面４４０６と第４係合面４６０６を係合することで第２、第３レンズ４４、４６を位置決めし接着剤で取着する。
次いで、第２、第３レンズ４４、４６を取着したのち、第１外周面４２０２と内周面４６０４とを係合することで第１レンズ４２に対して、第２、第３レンズ４４、４６を組み付け、接着剤で第１、第３レンズ４２、４６を取着する。
このようにしてレンズ４０をホルダ１６に組み込んでもよい。
【００３６】
第３の実施の形態によれば、第２レンズ４４の第３係合面４４０６と第３レンズ４６の第４係合面４６０６とを係合させ、第１レンズ４２の第１外周面４２０２と第３レンズ４６の内周面４６０４とを係合させることにより、第１、第２、第３レンズ４２、４４、４６の光軸を簡単かつ容易に合致させることができる。
また、第１レンズ４２の第１係合面４２０４と第２レンズ４４の第２係合面４４０２とを係合させ、第２レンズ４４の第３係合面４４０６と第３レンズ４６の第４係合面４６０６とを係合させることにより、第１、第２、第３レンズ４２、４４、４６の光軸方向の位置決めも簡単かつ容易に行うことができる。
したがって、第１の実施の形態と同様の効果が奏される。
【００３７】
（第４の実施の形態）
次に第４の実施の形態について説明する。
図９は第４の実施の形態におけるレンズ１２の構成を示す断面図である。
第４の実施の形態は、図４に示す第１の実施の形態の変形例である。
第１の実施の形態と同様な箇所部材に同一の符号を付して説明する。
図９に示すように、レンズ１２は、第１レンズ２０、第２レンズ２２、第３レンズ２４、第４レンズ２６、第５レンズ２８の５枚が用いられている。
それら第１レンズ２０、第２レンズ２２、第３レンズ２４、第４レンズ２６、第５レンズ２８は光軸を合致させてそれらの順に前方から後方に向けて（被写体側から撮像素子１４側に向けて）配置されている。
【００３８】
第１レンズ２０、第２レンズ２２、第３レンズ２４の配置構造については第１の実施の形態と同様である。
第３レンズ２４の取り付け部２４Ｂの外周部には、第２凸部２４０２に加え、第４レンズ２６および第５レンズ２８側に向けて突出する環状の第３凸部２４３０が設けられている。
第３凸部２４３０の内周部に形成された第５係合面２４３２は、第４レンズ２６の第６係合面２６０２に係合し、第３凸部２４３０の内周部に形成された第３内周面２４３４は、第４レンズ２６の外周面２６０４に係合している。
第５レンズ２８の第４凸部２８０２の内周部に形成された第７係合面２８０４は、第４レンズ２６の第８係合面２６０６に係合し、第４凸部２８０２の内周部に形成された第４内周面２８０６は、第４レンズ２６の外周面２６０４に係合している。
これにより第３、第４、第５レンズ２４、２６、２８の光軸が合致され、また、第３、第４、第５レンズ２４、２６、２８の光軸方向の位置決めがなされている。
すなわち、第４の実施の形態では、第１レンズ２０、第２レンズ２２、第３レンズ２４が第１の実施の形態と同様に配置され、また、第３レンズ２４、第４レンズ２６、第５レンズ２８が第１の実施の形態と同様に配置されている。
【００３９】
第４の実施の形態によれば、第１乃至第３の実施の形態と同様に、従来の筒状部材（鏡筒）を用いることなくレンズ同士の係合により、第１、第２、第３、第４、第５レンズ２０、２２、２４、２６、２８の光軸を簡単かつ容易に合致させることができ、また、第１、第２、第３、第４、第５レンズ２０、２２、２４、２６、２８の光軸方向の位置決めも簡単かつ容易に行うことができる。
【００４０】
（第５の実施の形態）
次に第５の実施の形態について説明する。
図１０は第５の実施の形態におけるレンズ１２の構成を示す断面図である。
第５の実施の形態は、図４に示す第１の実施の形態の変形例である。
第１の実施の形態と同様な箇所部材に同一の符号を付して説明する。
図１０に示すように、レンズ１２は、第１レンズ２０、第２レンズ２２、第３レンズ２４、第４レンズ２６の４枚が用いられている。
それら第１レンズ２０、第２レンズ２２、第３レンズ２４、第４レンズ２６は光軸を合致させてそれらの順に前方から後方に向けて（被写体側から撮像素子１４側に向けて）配置されている。
【００４１】
第１レンズ２０、第２レンズ２２、第３レンズ２４の配置構造については第１の実施の形態と同様である。
第４レンズ２６は中央に位置するレンズ部２６Ａと、レンズ部２６Ａの半径方向外側に位置する取り付け部２６Ｂとを有している。
第４レンズ２６の取り付け部２６Ｂの外周部から第３レンズ２４側に向けて環状の凸部２６１０が設けられている。
凸部２６１０の内側の取り付け部２６Ｂの箇所に係合面２６１２が形成され、この係合面２６１２は、第３レンズ２４の取り付け部２４Ｂの係合面２４２０に係合している。それら係合面２４２０、２６１２は、第３、第４レンズ２４、２６の光軸に対して直交する平面上で前記光軸を中心として環状に延在している。
凸部２６１０の内周部に第４レンズ２６の光軸を中心とした内周面２６１４が形成され、この内周面２６１４は第３レンズ２４の取付部２４Ｂの外周面２４１０に係合している。
そして、それら係合面２４２０、２６１２が係合し、内周面２６１４と外周面２４１０が係合することで、第３、第４レンズ２４、２６の光軸が合致され、また、第３、第４レンズ２４、２６の光軸方向の位置決めがなされる。
したがって、第５の実施の形態によれば、第１乃至第３の実施の形態と同様に、従来の筒状部材（鏡筒）を用いることなくレンズ同士の係合により、第１、第２、第３、第４レンズ２０、２２、２４、２６の光軸を簡単かつ容易に合致させることができ、また、第１、第２、第３、第４レンズ２０、２２、２４、２６の光軸方向の位置決めも簡単かつ容易に行うことができる。
【００４２】
なお、実施の形態では、レンズがホルダ１６に移動不能に取着される場合について説明したが、レンズをホルダ１６に対して光軸方向に移動可能に配設してもよい。
また、実施の形態では、カメラモジュール１０が組み込まれる電子機器１００が携帯電話機である場合について説明したが、本発明のカメラモジュール１０は、例えば、ＰＤＡ、ノート型パーソナルコンピュータなどの携帯情報端末、あるいは、デジタルスチルカメラ、ビデオカメラなどの種々の電子機器に広く適用可能であり、さらに、本発明のレンズの配置構造は、種々の機器の光学系に広く適用可能である。
【図面の簡単な説明】
【００４３】
【図１】実施の形態のカメラモジュール１０が組み込まれた電子機器１００の一例の説明図で、（Ａ）は第２の筐体１０６上に第１の筐体１０４が重ね合わされ閉じた状態の外観図、（Ｂ）は第２の筐体１０６に対して第１の筐体１０４が開いた状態の外観図である。
【図２】電子機器１００の制御系の構成を示すブロック図である。
【図３】カメラモジュール１０の構成を示す断面図である。
【図４】レンズ４０の構成を示す断面図である。
【図５】第２の実施の形態のカメラモジュール１０の構成を示す断面図である。
【図６】第２の実施の形態におけるレンズ３０の構成を示す断面図である。
【図７】第３の実施の形態のカメラモジュール１０の構成を示す断面図である。
【図８】第３の実施の形態におけるレンズ４０の構成を示す断面図である。
【図９】第４の実施の形態におけるレンズ１２の構成を示す断面図である。
【図１０】第５の実施の形態におけるレンズ１２の構成を示す断面図である。
【符号の説明】
【００４４】
１０……カメラモジュール、１２……レンズ、１４……撮像素子、２０……第１レンズ、２２……第２レンズ、２４……第３レンズ、２０Ａ、２２Ａ、２４Ａ……レンズ部、２０Ｂ、２２Ｂ、２４Ｂ……取り付け部、２２０２……外周面、２２０４……第１係合面、２２０６……第２係合面、２００４……第３係合面、２４０４……第４係合面、２００６……第１内周面、２４０６……第２内周面、１００……電子機器。
【図１】
2008203696.tif 000003
【図２】
2008203696.tif 000004
【図３】
2008203696.tif 000005
【図４】
2008203696.tif 000006
【図５】
2008203696.tif 000007
【図６】
2008203696.tif 000008
【図７】
2008203696.tif 000009
【図８】
2008203696.tif 000010
【図９】
2008203696.tif 000011
【図１０】
2008203696.tif 000012